(57)【要約】【課題】前後左右にシャーシが位置している場合であっても、プリント配線基板の厚さ方向における位置決めを行える電子機器を提供する。【解決手段】プリント配線基板４４の後辺４４０４を２つの係止壁５６の間の挿入溝５８の開口５８Ａに臨ませる。そして、挿入溝５８Ａ内に位置する後辺４４０４を支点としてプリント配線基板４４を下方に揺動させながら、後辺４４０４を第１、第２の突起６０、６２の間に挿入していく。第１の突起６０が第２の突起６２よりも挿入溝５８の開口５８Ａ方向に偏位して形成されていることから、プリント配線基板４４を揺動させながら後辺４４０４を第１、第２の突起６０、６２の間に容易に挿入することができる。プリント配線基板４４の後辺４４０４が挿入溝５８へ挿入されると、後辺４４０４は第１の突起６０と第２の突起６２によりその厚さ方向において位置決めされる。【選択図】図９
2007336044.tif 000002
【特許請求の範囲】
【請求項１】
電子部品が収容される空間を有するシャーシと、プリント配線基板とを備え、前記プリント配線基板は前記空間を覆うようにその面を前記空間に対向させて前記シャーシに配置された電子機器であって、
前記プリント配線基板の厚さ方向の一方の面は、前記空間に臨む内面となっており、前記プリント配線基板の厚さ方向の他方の面は外面となっており、
前記プリント配線基板を平面視した際の輪郭は複数の辺で形成されており、
前記シャーシは、前記プリント配線基板が前記シャーシに配置された状態で前記プリント配線基板の複数の辺のうちの一辺に臨む壁部を有し、
前記壁部に、前記プリント配線基板の厚さよりも大きい寸法の間隔をおいて前記基板に向かって突出する一対の係止壁が設けられ、
前記一対の係止壁の間に前記プリント配線基板の前記一辺が挿入される挿入溝が延在形成されており、かつ、前記一対の係止壁の延在方向の先端間は前記挿入溝の開口となっており、
前記挿入溝に前記プリント配線基板の前記一辺が挿入された状態で前記プリント配線基板の内面に臨む一対の係止壁のうちの一方の係止壁に、一対の係止壁のうちの他方の係止壁に向かって突出する第１の突起が設けられ、
前記一対の係止壁のうちの他方の係止壁に、前記一方の係止壁に向かって突出する第２の突起が設けられ、
前記プリント配線基板の前記一辺の厚さ方向における前記第１の突起の先端と前記第２の突起の先端との間の寸法は、前記プリント配線基板の前記一辺がそれらの間に挿脱されかつプリント配線基板の厚さ方向において位置決めがなされる値で形成され、
前記第１の突起は、前記第２の突起よりも前記挿入溝の開口方向に偏位して形成され、
前記プリント配線基板の前記一辺は、前記第１の突起と前記第２の突起により前記プリント配線基板の厚さ方向に位置決めされている、
ことを特徴とする電子機器。
【請求項２】
前記第１の突起と前記第１の突起が設けられた前記係止壁の先端との間の前記係止壁の箇所は、前記係止壁の先端に至るにつれて次第に前記一対の係止壁の間の距離を大きくする傾斜面で形成され、
前記第２の突起と前記第２の突起が設けられた前記係止壁の先端との間の前記係止壁の箇所は、前記係止壁の先端に至るにつれて次第に前記一対の係止壁の間の距離を大きくする傾斜面で形成されている、
ことを特徴とする請求項１記載の電子機器。
【請求項３】
前記一対の係止壁は、前記一辺の長手方向に間隔をおいた複数箇所を支持するように複数設けられている、
ことを特徴とする請求項１記載の電子機器。
【請求項４】
前記シャーシは、底部と、前記底部の両側から起立し互いに対向する側部とを有し、
前記両側の側部のうちの一方の側部は、前記壁部を有し、
前記一対の係止壁は、前記壁部に設けられている、
ことを特徴とする請求項１記載の電子機器。
【請求項５】
前記シャーシは、底部と、前記底部の両側から起立し互いに対向する側部とを有し、
前記両側の側部のうちの一方の側部は、前記壁部を有し、
前記一対の係止壁は、前記壁部の幅方向の両端にそれぞれ設けられている、
ことを特徴とする請求項１記載の電子機器。
【請求項６】
前記シャーシは、底部と、前記底部の両側から起立し互いに対向する側部とを有し、
前記両側の側部のうちの一方の側部は、前記壁部を有し、
前記一対の係止壁は、前記壁部の幅方向の両端にそれぞれ設けられ、
前記挿入溝に前記プリント配線基板の前記一辺が挿入され、この一辺が前記壁部に当接することで、前記プリント配線基板の厚さ方向および前記一辺の延在方向と直交する方向における前記プリント配線基板の位置決めがなされる、
ことを特徴とする請求項１記載の電子機器。
【請求項７】
前記プリント配線基板は、前記プリント配線基板の前記一辺が前記第１の突起と前記第２の突起により位置決めされた状態で、ねじにより前記シャーシに取着されている、
ことを特徴とする請求項１記載の電子機器。
【請求項８】
前記シャーシに取着されるカバーを備え、
前記プリント配線基板の前記一辺にコネクタが設けられ、
前記コネクタに臨む前記カバーの箇所に、前記コネクタを前記カバーの外方に臨ませる開口が設けられている、
ことを特徴とする請求項１記載の電子機器。
【請求項９】
前記シャーシは、前記プリント配線基板が前記シャーシに配置された状態で前記プリント配線基板の前記一辺の近傍の前記内面に臨む取り付け面を有し、
前記取り付け面は、前記プリント配線基板の厚さ方向の位置決め面となっており、
前記プリント配線基板の前記一辺が前記第１の突起と前記第２の突起との間に挿入され、かつ、前記プリント配線基板の内面が前記取り付け面に載置された状態で、前記プリント配線基板の前記内面と前記第１の突起との間および前記外面と前記第２の突起との間に隙間が確保され、
前記シャーシに取着されるカバーを備え、
前記プリント配線基板の前記一辺にコネクタが設けられ、
前記コネクタに臨む前記カバーの箇所に、前記コネクタを前記カバーの外方に臨ませる開口が設けられ、
前記第１の突起と前記第２の突起により、前記コネクタが前記開口内に位置するように前記一辺は前記プリント配線基板の厚さ方向において位置決めされる、
ことを特徴とする請求項１記載の電子機器。
【請求項１０】
前記シャーシは、前記プリント配線基板が前記シャーシに配置された状態で前記プリント配線基板の前記一辺の近傍の前記内面に臨む取り付け面を有し、
前記取り付け面は、前記プリント配線基板の厚さ方向の位置決め面となっており、
前記プリント配線基板の前記一辺が前記第１の突起と前記第２の突起との間に挿入され、かつ、前記プリント配線基板の内面が前記取り付け面に載置された状態で、前記プリント配線基板の前記内面と前記第１の突起との間および前記外面と前記第２の突起との間に隙間が確保され、
前記シャーシに取着されるカバーを備え、
前記プリント配線基板の前記一辺にコネクタが設けられ、
前記コネクタに臨む前記壁部の箇所および前記カバーの箇所に、それぞれ前記コネクタを前記カバーの外方に臨ませる開口が設けられ、
前記第１の突起と前記第２の突起により、前記コネクタが前記開口内に位置するように前記一辺は前記プリント配線基板の厚さ方向において位置決めされる、
ことを特徴とする請求項１記載の電子機器。
【発明の詳細な説明】
【技術分野】
【０００１】
本発明は電子機器に関し、より詳細には、プリント配線基板がシャーシに配置された電子機器に関する。
【背景技術】
【０００２】
電子機器は、各種電子部品が実装されたプリント配線基板を備えている場合が多い。
例えば電子機器が監視カメラである場合、シャーシ内の空間の上部や側部などを閉塞するようにプリント配線基板が配置されている（特許文献１参照）。
一方、プリント配線基板には、各種電子部品がはんだ付けなどにより実装されており、プリント配線基板自体がたわみを有している場合があり、このような場合、プリント配線基板をその厚さ方向において位置決めしなければならない。
また、多くの場合、プリント配線基板に各種のコネクタが設けられ、このコネクタは電子機器のカバーの開口から露出するように配置されるが、それらのコネクタに外部のコネクタが装脱されると、プリント配線基板にたわみが生じる場合があり、このような場合、コネクタがカバーの開口内に位置するようにプリント配線基板をその厚さ方向において位置決めしなければならない。
【特許文献１】特開平８−７９５８５号公報
【発明の開示】
【発明が解決しようとする課題】
【０００３】
この場合のプリント配線基板の位置決めは、プリント配線基板に対してその厚さ方向の両方向から位置決め部を当て付ける必要があり、このような２つの位置決め部の間にプリント配線基板を挿入するには、プリント配線基板をその面に沿って平行移動しなければならない。
しかしながら、上述のようにシャーシ内の空間の上部を閉塞するようにプリント配線基板が配置される場合、プリント配線基板の前後左右には、シャーシが位置しており、プリント配線基板をその面に沿って平行移動させることができず、したがって、プリント配線基板をその厚さ方向において位置決めすることができない。
本発明は前記事情に鑑み案出されたものであって、本発明の目的は、前後左右にシャーシが位置している場合であっても、プリント配線基板の厚さ方向における位置決めを行える電子機器を提供することにある。
【課題を解決するための手段】
【０００４】
上述の目的を達成するため、本発明は、電子部品が収容される空間を有するシャーシと、プリント配線基板とを備え、前記プリント配線基板は前記空間を覆うようにその面を前記空間に対向させて前記シャーシに配置された電子機器であって、前記プリント配線基板の厚さ方向の一方の面は、前記空間に臨む内面となっており、前記プリント配線基板の厚さ方向の他方の面は外面となっており、前記プリント配線基板を平面視した際の輪郭は複数の辺で形成されており、前記シャーシは、前記プリント配線基板が前記シャーシに配置された状態で前記プリント配線基板の複数の辺のうちの一辺に臨む壁部を有し、前記壁部に、前記プリント配線基板の厚さよりも大きい寸法の間隔をおいて前記基板に向かって突出する一対の係止壁が設けられ、前記一対の係止壁の間に前記プリント配線基板の前記一辺が挿入される挿入溝が延在形成されており、かつ、前記一対の係止壁の延在方向の先端間は前記挿入溝の開口となっており、前記挿入溝に前記プリント配線基板の前記一辺が挿入された状態で前記プリント配線基板の内面に臨む一対の係止壁のうちの一方の係止壁に、一対の係止壁のうちの他方の係止壁に向かって突出する第１の突起が設けられ、前記一対の係止壁のうちの他方の係止壁に、前記一方の係止壁に向かって突出する第２の突起が設けられ、前記プリント配線基板の前記一辺の厚さ方向における前記第１の突起の先端と前記第２の突起の先端との間の寸法は、前記プリント配線基板の前記一辺がそれらの間に挿脱されかつプリント配線基板の厚さ方向において位置決めがなされる値で形成され、前記第１の突起は、前記第２の突起よりも前記挿入溝の開口方向に偏位して形成され、前記プリント配線基板の前記一辺は、前記第１の突起と前記第２の突起により前記プリント配線基板の厚さ方向に位置決めされていることを特徴とする。
【発明の効果】
【０００５】
本発明によれば、第２の突起、および、第２の突起よりも開口方向に偏位した第１の突起を有する挿入溝により、プリント配線基板の辺の下方への位置決めと上方への位置決めの双方向への位置決めが行われるので、プリント配線基板を挿入溝に挿入するに際して平行移動を要せず、辺を支点としてプリント配線基板を揺動させればよく、したがって、プリント配線基板の周囲にシャーシが位置している場合であっても、プリント配線基板を挿入溝に挿入でき、プリント配線基板の厚さ方向における２方向の位置決めを行うことができる。
【発明を実施するための最良の形態】
【０００６】
以下、電子機器が監視カメラである場合の実施の形態について説明する。
図１は監視カメラ１０を前方から見た斜視図、図２は監視カメラ１０を後方から見た斜視図、図３はカバー４６を取り外した状態で監視カメラ１０を前方から見た斜視図、図４はカバー４６を取り外した状態で監視カメラ１０を後方から見た斜視図である。
図５はシャーシ４２の後壁部５２にプリント配線基板４４が配置された状態を示す斜視図、図６はシャーシ４２の後壁部５２の斜視図である。
図７は係止壁５６の拡大図、図８はプリント配線基板４４に取り付け片７２を設けた例を示す説明図である。
図１、図２に示すように、監視カメラ１０は、従来公知の様々な取付金具を介して天井や壁、柱などに取着されるものである。
監視カメラ１０は、カメラ本体１２と、カメラ本体１２の前部に設けられた鏡筒１４などを備えている。
カメラ本体１２には被写体像を撮像する撮像素子１６（図１１参照）が設けられている。
被写体像を撮像素子１６に導く撮影光学系１８は鏡筒１４に収容され、本実施の形態では、鏡筒１４はカメラ本体１２の前面に着脱可能に装着されている。
【０００７】
図１１は監視カメラ１０の制御系の構成を示すブロック図である。
図１１に示すように、監視カメラ１０は、画像処理部２０、ネットワーク用通信部２２、ネットワーク用コネクタ２４、インターフェース用通信部２６、インターフェース用コネクタ２８、電源部３０、電源入力用のコネクタ３２、オーディオ信号処理部３４、映像処理部３５、オーディオ入力用コネクタ３６、オーディオ出力用コネクタ３８、アナログ映像信号出力用のコネクタ３９、制御部４０などを備えている。
画像処理部２０は撮像素子１６から供給される撮像信号に対して所定の信号処理を行い所定の画像データ（静止画データ、動画データ）を生成するものであり、生成した画像データを制御部４０に供給するとともに、前記画像データからアナログ映像信号を生成しアナログ映像信号出力用のコネクタ３９に供給する。したがって、コネクタ３９にディスプレイ装置などを接続することで撮影された画像データを表示させることが可能となっている。
ネットワーク用通信部２２は、ネットワーク用コネクタ２４とそのネットワーク用コネクタ２４に接続されたネットワーク用ケーブル（不図示）を介して外部装置（パーソナルコンピュータなどの画像データの表示機能を有する端末装置）に接続され、双方向に通信を行うことで、制御部４０と前記外部装置との間で情報の授受を行なうものである。
本実施の形態では、ネットワーク用通信部２２は例えばＬＡＮ、イーサネット（登録商標）によって通信を行う。
前記外部装置に送信する情報としては、画像データや後述するオーディオデータが含まれ、外部装置から受信する情報としては、撮像された画像データの明るさや色調などの調整などを指示する制御コマンド、あるいは、外部装置に入力されたオーディオデータなどが含まれる。
インターフェース用通信部２６はインターフェース用コネクタ２８に接続され、インターフェース用コネクタ２８を介して外部装置と双方向に通信を行うことで、制御部４０と前記外部装置との間で情報の授受を行なうものであり、例えば、監視カメラ１０の保守作業の際に使用される。
【０００８】
電源部３０はコネクタ３２に接続され、コネクタ３２を介して外部の電源装置から電源ケーブル（不図示）を介して供給される電力を所定の電圧、電流に調整し、撮像素子１６、画像処理部２０、ネットワーク用通信部２２、インターフェース用通信部２６、オーディオ信号処理部３４、制御部４０などに供給するものである。
本実施の形態では、電源部３０は３種類の電力を選択的に使用可能である。すなわち、コネクタ３２を介して供給される交流電力あるいは直流電力、および、ネットワーク用コネクタ２８を介して供給される電力の３種類の何れか１つを使用する。
【０００９】
オーディオ信号処理部３４は、制御部４０によって制御されオーディオ入力用コネクタ３６とオーディオ出力用コネクタ３８に接続されている。
オーディオ信号処理部３４は、オーディオ入力用コネクタ３６に接続されたマイクロフォンなどから入力されるオーディオ信号（例えば監視カメラ１０が設置されている環境のの音が収音されて生成されたオーディオ信号）をデジタル信号に変換して制御部４０に供給する機能と、制御部４０から供給されるデジタル信号のオーディオ信号（例えば警報音を発生させるためのオーディオ信号など）をアナログ信号に変換してオーディオ出力用コネクタ３８に接続されたスピーカーなどに供給することで音響を発生させる機能とを有する。
【００１０】
制御部４０は、画像処理部２０、ネットワーク用通信部２２、インターフェース用通信部２６、電源部３０、オーディオ信号処理部３４などの制御を行なうものであり、ＣＰＵやＲＯＭ、ＲＡＭ、インターフェース用ＬＳＩを含むマイクロコンピュータを含んで構成されている。
すなわち、制御部４０は、画像処理部２０から供給される画像データや、オーディオ入力用コネクタ３６からオーディオ信号処理部３４を介して入力されるオーディオ信号をネットワーク用通信部２２、ネットワーク用コネクタ２４を介して外部装置に供給する。
また、制御部４０は、外部装置からネットワーク用コネクタ２４、ネットワーク用通信部２２を介して供給される制御コマンドに基づいて画像処理部２０を制御して撮像された画像データの明るさや色調などを調整する。
また、制御部４０は、外部装置からネットワーク用コネクタ２４、ネットワーク用通信部２２を介して供給される音声データをオーディオ信号処理部３４、オーディオ出力用コネクタ３８を介してスピーカーに供給して音響を発生させる。
【００１１】
図３、図４に示すように、カメラ本体１２は、種々の電子部品が収容される空間４０を有するシャーシ４２と、プリント配線基板４４と、シャーシ４２に取着された外装を構成するカバー４６（図１、図２参照）などを含んで構成されている。
シャーシ４２は、図３、図４に示すように、底部４８と、底部４８の両側から起立し互いに対向する側部とを有している。本実施の形態では、底部４８の前後部からそれぞれ前壁部５０および後壁部５２が立設されており、したがって、一方の側部は前壁部５０を有し、他方の側部は後壁部５２を有している。
底部４８、前壁部５０、後壁部５２はそれぞれ別体で板金製であり、めっきが施され、前壁部５０、後壁部５２は、図３に示すように、例えば底部４８の前後部にねじＮ１を介して結合されている。
【００１２】
プリント配線基板４４は、空間４０の上面を覆うようにその面を空間４０に対向させてシャーシ４２に配置されている。詳細には、プリント配線基板４４は、図３、図４に示すように、撮影光学系１８の光軸を水平に向け、かつ、監視カメラ１０の底面を下方に向け上面を上方に向けた状態で、監視カメラ１０の内部で前後左右にわたって水平方向に延在し、したがって、プリント配線基板４４は監視カメラ１０の底面および上面に平行して配置されている。
プリント配線基板４４の厚さ方向の一方の面は、空間４０に臨む内面４４Ａとなっており、プリント配線基板４４の厚さ方向の他方の面は外面４４Ｂとなっている。すなわち、内面４４Ａは下方を向き、外面４４Ｂは上方を向いている。
プリント配線基板４４を平面視した際の輪郭は複数の辺で形成されており、本実施の形態では、平面視した場合、長方形を呈し、２つの短辺と２つの長辺を有し、２つの短辺のうちの一方の短辺は、シャーシ４２の前部に配置される前辺４４０２であり、２つの短辺のうちの他方の短辺は、シャーシ４２の後部に配置される後辺４４０４である。
すなわち、プリント配線基板４４は、前辺４４０２が前壁部５０の上部に位置し、後辺４４０４が後壁部５２の上部に位置するように配置されている。
図３、図４に示すように、プリント配線基板４４には、ＩＣ、ＬＳＩ、抵抗、コンデンサーなどの電子部品がはんだ付けなどにより実装され、プリント配線基板４４の後辺４４０４にネットワーク用コネクタ２４、オーディオ入力用コネクタ３６、オーディオ出力用コネクタ３８が設けられている。
【００１３】
図３乃至図６に示すように、プリント配線基板４４がシャーシ４２に配置された状態でプリント配線基板４４の後辺４４０４に臨む後壁部５２の箇所に、プリント配線基板４４の厚さよりも大きい寸法の間隔をおいてプリント配線基板４４に向かって突出する一対の係止壁５６が屈曲形成されており、一対の係止壁５６は後壁部５２に一体に形成されている。
図６に示すように、一対の係止壁５６の間にプリント配線基板４４の後辺４４０４が挿入される挿入溝５８が延在形成されており、かつ、一対の係止壁５６の延在方向の先端間は挿入溝５８の開口５８Ａとなっている。
挿入溝５８にプリント配線基板４４の後辺４４０４が挿入された状態でプリント配線基板４４の内面４４Ａに臨む一対の係止壁５６のうちの一方の係止壁５６に、一対の係止壁５６のうちの他方の係止壁５６に向かって突出する第１の突起６０が設けられている。
一対の係止壁５６のうちの他方の係止壁５６に、一方の係止壁５６に向かって突出する第２の突起６２が設けられている。
第１の突起６０と第１の突起６０が設けられた係止壁５６の先端との間の箇所は、係止壁５６の先端に至るにつれて次第に一対の係止壁５６の間の距離を大きくする傾斜の傾斜面６４で形成されている。
第２の突起６２と第２の突起６２が設けられた係止壁５６の先端との間の箇所は、係止壁５６の先端に至るにつれて次第に一対の係止壁５６の間の距離を大きくする傾斜の傾斜面６６で形成されている。
一対の係止壁５６は、後辺４４０４の長手方向に間隔をおいた複数箇所を支持するように複数設けられ、本実施の形態では、後壁部５２の幅方向の両端にそれぞれ設けられ、後辺４４０４の左右両端を支持するようにしている。
【００１４】
図７に示すように、プリント配線基板４４の後辺４４０４の厚さ方向における第１の突起６０の先端６０Ａと第２の突起６２の先端６２Ａとの間の寸法Ｌは、プリント配線基板４４の後辺４４０４がそれら突起６０、６２の間に挿脱されかつプリント配線基板４４の厚さ方向において位置決めがなされるようにプリント配線基板４４の後辺４４０４の厚さと同一か、あるいは、この厚さよりも僅かに大きい値で形成されている。
また、第１の突起６０は、第２の突起６２よりも挿入溝５８の開口５８Ａ方向に偏位して形成されている。
プリント配線基板４４の後辺４４０４は挿入溝５８に挿入されることで、第１の突起６０と第２の突起６２によりプリント配線基板４４の厚さ方向に位置決めされる。
そしてこのように位置決めされた状態でプリント配線基板４４の後辺４４０４の３つのコネクタ２４、３６、３８に臨む後壁部５２の箇所に、図４、図６に示すように、各コネクタ２４、３６、３８をシャーシ４２の外方に臨ませる開口５４がそれぞれ設けられ、また、カバー４６の後面箇所に、図２に示すように、各コネクタ２４、３６、３８をカバー４６の外方に臨ませる開口５４Ａがそれぞれ設けられている。
なお、後辺４４０４は第１の突起６０と第２の突起６２によりプリント配線基板４４の厚さ方向に位置決めされるが、詳細には、本実施の形態では、各コネクタ２４、３６、３８がシャーシ４２の開口５４およびカバー４６の開口５４Ａ内に臨むように、後辺４４０４がプリント配線基板４４の厚さ方向において一定の範囲内に位置するように位置決めされる。
【００１５】
プリント配線基板４４は、プリント配線基板４４の後辺４４０４が第１の突起６０と第２の突起６２により位置決めされた状態で、ねじによりシャーシ４２に取着されている。
本実施の形態では、図３、図４に示すように、プリント配線基板４４の後部の左右両側が後壁部５２の取り付け片６８に載置され、また、プリント配線基板４４の前部の左右両側が前壁部５０の取り付け片７０に載置され、それぞれねじＮ２、Ｎ３により取り付け片６８、７０に取着されている。
また、本実施の形態では、図８、図１０に示すように、プリント配線基板４４の後辺４４０４が後壁部５２に当接され、プリント配線基板４４の前後方向の位置決めがなされている。なお、プリント配線基板４４の前後方向の位置決めは、プリント配線基板４４の後辺４４０４と後壁部５２との間に隙間をあけておき、図４に示すように、一方の取り付け片７０から突設した前後位置決め用の位置決めピン７０５０をプリント配線基板４４の前後位置決め用の孔４４５０に嵌合し、かつ、プリント配線基板４４に設けられた左右に延在する前後位置決め用の長溝４４５２にねじＮ３を挿通させて他方の取り付け片７０のねじ孔に螺合する際に、ねじＮ３の軸部と長溝４４５２とで位置合わせするなど任意である。
【００１６】
さらに本実施の形態では、図３、図６に示すように、取り付け片６８、７０の上面６８Ａ、７０Ａは位置決め面として形成されている。
したがって、プリント配線基板４４の後部において、挿入溝５８の第１の突起６０と第２の突起６２とがそれぞれ位置決め用の突起であり、取り付け片６８の上面６８Ａも位置決め用の面であることから、プリント配線基板４４の後部の左右両側が取り付け片６８に載置されると、プリント配線基板４４の内面４４Ａと第１の突起６０の先端６０Ａとの間には０．１ｍｍの隙間が確保され、かつ、プリント配線基板４４の外面４４Ｂと第２の突起６２の先端６２Ａとの間には０．１ｍｍの隙間が確保されるように構成されている。
【００１７】
なお、図８に示すように、プリント配線基板４４から垂設した取り付け片７２に上下に延在する長溝７２０２を形成しておき、第１の突起６０と第２の突起６２により位置決めされた状態のプリント配線基板４４を、長溝７２０２を挿通するねじＮ４を後壁部５２の箇所に締結することでシャーシ４２に取着するようにしてもよいことは無論のことである。この場合、第１の突起６０の先端６０Ａと第２の突起６２の先端６２Ａとの間の寸法Ｌは、例えば、プリント配線基板４４の後辺４４０４の厚さと同一か、あるいは、この厚さよりも０．０１〜０．０２ｍｍ程度大きい値で形成され、プリント配線基板４４の後辺４４０４が第１の突起６０と第２の突起６２のみにより高い精度で位置決めされることになる。
【００１８】
次に作用について説明する。
図９、図１０はプリント配線基板４４の取り付け説明図である。
プリント配線基板４４をシャーシ４２に取り付ける際には、図９に二点鎖線で示すように、プリント配線基板４４の後辺４４０４が前辺４４０２よりも下方となるように傾斜させた状態で、プリント配線基板４４の後辺４４０４を挿入溝５８の開口５８Ａに臨ませる。
そして、図９に実線で示すように、挿入溝５８Ａ内に位置する後辺４４０４を支点としてプリント配線基板４４の前辺４４０２を下方に揺動させながら、後辺４４０４を第１、第２の突起６０、６２の間に挿入していく。
この際、第１の突起６０が第２の突起６２よりも挿入溝５８の開口５８Ａ方向に偏位して形成されていることから、プリント配線基板４４を傾斜させた状態から揺動させながら後辺４４０４を第１、第２の突起６０、６２の間に容易に挿入することができるので、プリント配線基板４４の挿入溝５８への挿入作業が円滑に行われる。
また、プリント配線基板４４の後辺４４０４は、各係止壁５６の傾斜面６４、６６によって開口５８Ａから挿入溝５８へ円滑に案内されるので、プリント配線基板４４の挿入溝５８への挿入作業が円滑に行われる。
そして、図１０に示すように、プリント配線基板４４の後辺４４０４が挿入溝５８へ挿入されると、後辺４４０４は第１の突起６０と第２の突起６２によりその厚さ方向において位置決めされる。詳細には、後辺４４０４は下方への位置決めと上方への位置決めの双方向への位置決めがなされる。
本実施の形態では、図１０に示すように、後辺４４０４の後端が、後壁部５２の内面に当接することで前後方向の位置決めもなされる。
【００１９】
このように後辺４４０４が第１の突起６０と第２の突起６２によりその厚さ方向において位置決めされた状態で、プリント配線基板４４の内面４４Ａを取り付け片６８、７０の上面６８Ａ、７０Ａに載置する。
そして、プリント配線基板４４を挿通させたねじＮ２、Ｎ３を取り付け片６８、７０に締結することにより、プリント配線基板４４のシャーシ４２への取り付けが完了する。
【００２０】
本実施の形態によれば次の効果が奏される。
プリント配線基板４４に各種電子部品がはんだ付けなどにより実装されており、プリント配線基板４４自体がたわみを有している可能性があり、コネクタ２４、３６、３８などが配置されたプリント配線基板４４の後辺４４０４は、シャーシ４２に対して下方への位置決めと上方への位置決めの双方向への位置決めが必要となる。
また、各コネクタ２４、３６、３８に接続ケーブルのコネクタが装脱され、各コネクタ２４、３６、３８を介してプリント配線基板４４にその厚さ方向の応力が加わると、プリント配線基板４４にたわみが生じる可能性があり、コネクタ２４、３６、３８などが配置されたプリント配線基板４４の後辺４４０４は、シャーシ４２に対して下方への位置決めと上方への位置決めの双方向への位置決めが必要となる。
上述のように２つの位置決め部によりプリント配線基板４４の厚さ方向の２方向の位置決めを行う場合、プリント配線基板４４を前記２方向と直交する平面内においてこの平面に沿って平行に移動しなければ位置決めを行うことができない。
しかしながら、図３、図４に示すように、プリント配線基板４４の前後には、前壁部５０と後壁部５２が位置しており、プリント配線基板４４を上記の平面に沿って平行に移動させることはできない。
本実施の形態では、第２の突起６２、および第２の突起６２よりも開口５８Ａ方向に偏位した第１の突起６０を有する挿入溝５８により、プリント配線基板４４の後辺４４０４の下方への位置決めと上方への位置決めの双方向への位置決めが行われるので、プリント配線基板４４を挿入溝５８に挿入するに際して、上述のような平行移動を要せず、後辺４４０４を支点としてプリント配線基板４４を揺動させればよく、したがって、プリント配線基板４４の前後に前壁部５０と後壁部５２が位置している場合であっても、プリント配線基板４４を挿入溝５８に挿入でき、プリント配線基板４４の厚さ方向における２方向の位置決めを行うことができる。
【００２１】
したがって、はんだ付けなどによりプリント配線基板４４がたわみを有している場合であっても、コネクタ２４、３６、３８が配置された後辺４４０４が、第１、第２の突起６０、６２によりその厚さ方向において位置決めされるため、それらコネクタ２４、３６、３８を、後壁部５２の開口５４およびにカバー４６の開口５４Ａに対して正確に配置することができ、組み立て精度を確保する上で有利となる。
また、各コネクタ２４、３６、３８への接続ケーブルのコネクタの装脱によりプリント配線基板４４にその厚さ方向の応力が加わったとしても、プリント配線基板４４の厚さ方向の変形が第１の突起６０および第２の突起６２により抑制され、詳細には、各コネクタ２４、３６、３８がシャーシ４２の開口５４およびカバー４６の開口５４Ａ内に位置する範囲内に後辺４４０４が位置決めされ、プリント配線基板４４に無理な力が掛かることを防止できプリント配線基板４４の保護を図る上で有利となる。
また、本実施の形態では、取り付け片６８が後辺４４０４の位置決め面となっているため、第１の突起６０は、長期使用などにより後辺４４０４が下方に変位した際に、この変位を阻止するストッパとしても機能し、コネクタ２４、３６、３８を後壁部５２の開口５４およびにカバー４６の開口５４Ａに対して確実に合わせることが可能となる。
【００２２】
なお、本実施の形態では、挿入溝５８を２つ設けた場合について説明したが、挿入溝５８の数は、プリント配線基板４４の厚さ方向の位置決めを行うのに十分な数であればよく、挿入溝５８の数は１つでも、３つ以上であってもよい。
また、底部４８、前壁部５０、後壁部５２を形成する材料は剛性を有するものであればよく合成樹脂材料であってもよく、したがって、後壁部５２が合成樹脂材料で形成されている場合には一対の係止壁５６も合成樹脂製となる。
また、本実施の形態では、電子機器が監視カメラである場合について説明したが、本発明は監視カメラに限定されるものではなく、プリント配線基板がシャーシに配置された電子機器に広く適用可能である。
【図面の簡単な説明】
【００２３】
【図１】監視カメラ１０を前方から見た斜視図である。
【図２】監視カメラ１０を後方から見た斜視図である。
【図３】カバー４６を取り外した状態で監視カメラ１０を前方から見た斜視図である。
【図４】カバー４６を取り外した状態で監視カメラ１０を後方から見た斜視図である。
【図５】シャーシ４２の後壁部５２にプリント配線基板４４が配置された状態を示す斜視図である。
【図６】シャーシ４２の後壁部５２の斜視図である。
【図７】係止壁５６の拡大図である。
【図８】プリント配線基板４４に取り付け片７２を設けた例を示す説明図である。
【図９】プリント配線基板４４の取り付け説明図である。
【図１０】プリント配線基板４４の取り付け説明図である。
【図１１】監視カメラ１０の制御系の構成を示すブロック図である。
【符号の説明】
【００２４】
１０……監視カメラ、４０……空間、４２……シャーシ、４４……プリント配線基板、４４Ａ……内面、４４Ｂ……外面、４４０２……前辺、４４０４……後辺、５６……係止壁、５８……挿入溝、５８Ａ……開口、６０……第１の突起、６２……第２の突起。
【図１】
2007336044.tif 000003
【図２】
2007336044.tif 000004
【図３】
2007336044.tif 000005
【図４】
2007336044.tif 000006
【図５】
2007336044.tif 000007
【図６】
2007336044.tif 000008
【図７】
2007336044.tif 000009
【図８】
2007336044.tif 000010
【図９】
2007336044.tif 000011
【図１０】
2007336044.tif 000012
【図１１】
2007336044.tif 000013